(57)【要約】【課題】切込刃で切り込んだ被覆の端部を確実に掬い上げて心材から除去することができ、また、被覆を掬い上げる際に被覆を切ってしまうことのない被覆付ケーブルの被覆除去工具を提供する。【解決手段】被覆付きのケーブル４０の端部が挿入される挿入口２８を有し、挿入口２８から挿入されたケーブル４０に対して相対的に回動させることで被覆４２を除去する被覆除去工具であって、被覆４２に切り込む切込刃２３を備えて挿入及び回動により被覆４２を端部から螺旋状に切り込む切込刃体２２と、切込刃体２２よりもケーブル４０の挿入方向奥側に位置し、切り込まれた被覆４２を掬い上げる掬い部２６と、を備えた。そして、掬い部２６の先端は、切込刃２３の先端よりも回動方向の後方に位置させた。【選択図】図７
2018196254.tif 000002
【特許請求の範囲】
【請求項１】
被覆付ケーブルの端部が挿入される挿入口を有し、該挿入口から挿入された前記ケーブルに対して相対的に回動させることで前記被覆を除去する被覆付ケーブルの被覆除去工具であって、
前記ケーブルの挿入軸に対して傾斜して配置され前記被覆に切り込む切込刃を備え、前記挿入及び回動により前記被覆を端部から螺旋状に切り込む切込刃体と、
前記切込刃体よりも前記ケーブルの挿入方向奥側に位置し、切り込まれた前記被覆を掬い上げる掬い部と、を備え、
前記掬い部の先端は、前記切込刃の先端よりも前記回動方向の後方に位置することを特徴とする被覆付ケーブルの被覆除去工具。
【請求項２】
前記掬い部は、板状に形成された掬い板体の前記ケーブル側の先端部で形成され、
前記掬い板体は、前記切込刃体の前記挿入方向奥側の端部に隣接して設けられたことを特徴とする請求項１に記載の被覆付ケーブルの被覆除去工具。
【請求項３】
前記掬い部の先端は、前記被覆を切らない端面に形成されていることを特徴とする請求項１または請求項２に記載の被覆付ケーブルの被覆除去工具。
【請求項４】
前記掬い板体は、前記切込刃体とは別体に形成されていることを特徴とする請求項２または請求項３に記載の被覆付ケーブルの被覆除去工具。
【発明の詳細な説明】
【技術分野】
【０００１】
本発明は、絶縁体で被覆された電力ケーブル、光ケーブル等のケーブルの端部の被覆を除去して導体等の心材を露出させる被覆付ケーブルの被覆除去工具に関するものである。
【背景技術】
【０００２】
絶縁体で被覆された前記ケーブルを分岐したり接続したりするときは、ケーブルの端部の被覆を除去してケーブル内の導体を露出させている。その際、ニッパ、ナイフ等を用いて露出させることが行なわれているが、被覆の除去は面倒な作業を要し時間もかかり怪我する危険もあった。このため、内部に切込刃を備え、挿入口からケーブルを挿入して挿入軸回りに回動させることにより被覆を除去する工具が開発され、例えば、特許文献１にそれに関する技術が開示されている。
【０００３】
図９は、特許文献１に記載の除去工具を示す。図９において、除去工具５０の切削刃５４は、ケーブルの径方向に沿って形成された切り刃部５５と、ケーブルの軸方向に沿って形成された掬い刃部５６とを備えている。切り刃部５５は、ケーブルの相対回転に伴ってケーブルを切削し、掬い刃部５６は、切削されたスロット５７を掬いあげて中心のテンションメンバ５８から剥ぎ取るものである。切り刃部５５と掬い刃部５６とは直角に接続され、切削刃５４の一側面に形成され、各先端は、図９(b)に示すように、同一線Ｖ上に位置している。
【０００４】
この構成により、図９(a)に示すように、スロット５７を除去工具５０の挿入ブロック５１のスロット導入口５２に挿入し、スロット５７の先端面を段差部５３に押し付けながら除去工具５０を軸回りに回転させる。すると、切り刃部５５によってスロット５７の先端面が切削され、切削されたスロット５７は掬い刃部５６によってテンションメンバ５８から剥ぎ取られ、スロット切削屑として切削屑排出口５９から排出される。
【先行技術文献】
【特許文献】
【０００５】
【特許文献１】特開２０００−１９７２３１号公報
【発明の概要】
【発明が解決しようとする課題】
【０００６】
しかし、特許文献１に記載の除去工具は、切り刃部５５の先端と掬い刃部５６の先端とが同一線Ｖ上に位置し、切削する動作と掬う動作とが同時に開始されるから、切り刃部５５によって切削されたスロット５７の薄い先端部分が掬い刃部５６の下側に潜り込んだりするために、切削されたスロット５７を掬い刃部５６によって確実に掬い上げることができず、テンションメンバ５８から円滑に剥ぎ取ることができないことがあった。また、切り刃部５５のみでなく掬い刃部５６も先端は鋭利になっているので、掬い上げ途中にスロット５７が切断されてしまうことがあった。そのため、掬い刃部５６の刃先がスロット５７に食い込んだり、スロット５７が細切れになってしまってこの切削屑を処理するのが大変であった。
【０００７】
そこで、本発明は、切込刃で切り込んだ被覆の端部を確実に掬い上げて心材から除去することができ、また、被覆を掬い上げる際に被覆を切ってしまうことのない被覆付ケーブルの被覆除去工具の提供を課題とする。
【課題を解決するための手段】
【０００８】
請求項１の被覆付ケーブルの被覆除去工具は、被覆付ケーブルの端部が挿入される挿入口を有し、該挿入口から挿入された前記ケーブルに対して相対的に回動させることで前記被覆を除去するものであって、
前記ケーブルの挿入軸に対して傾斜して配置され前記被覆に切り込む切込刃を備え、前記挿入及び回動により前記被覆を端部から螺旋状に切り込む切込刃体と、前記切込刃体よりも前記ケーブルの挿入方向奥側に位置し、切り込まれた前記被覆を掬いあげる掬い部と、を備え、
前記掬い部の先端は、前記切込刃の先端よりも前記回動方向の後方に位置するものである。
【０００９】
これによれば、掬い部の先端は切込刃の先端よりも回動方向の後方に位置するので、切込刃で被覆を切り込んで一定時間経過した後、掬い部による掬い上げが開始される。これにより、切込刃が被覆において心材に近接した深部にまで入いり、切り込まれた被覆が厚肉で十分に掬い上げ可能な状態になってから掬い部による掬い上げが開始されるから、掬い部で被覆を下方から支持しつつ確実に掬い上げることができる。
【００１０】
本発明の被覆除去工具は、掬い部が、板状に形成された掬い板体の被覆付ケーブル側の先端部によって形成され、前記掬い板体は、前記切込刃体における被覆付ケーブルの挿入方向奥側の端部に隣接して設けられたものとすることもできる。
これによれば、掬い部は、切り込まれた被覆の端部を確実に掬い上げて剥ぎ取ることができる。
【００１１】
また、本発明の被覆除去工具は、掬い部が、被覆を切らない端面に形成されたものとすることもできる。これによれば、被覆を掬い上げる際に被覆を切ってしまうのを防止することができる。
【００１２】
更に、本発明の被覆除去工具は、掬い板体が、切込刃体とは別体に形成されたものとすることもできる。
これによれば、切込刃体のみについて個別に刃先を研ぐ刃付けや焼き付けなどの処理を行なうことができるので、切込刃体と掬い板体とが一体物で形成された場合と比較して、切込刃体及び掬い板体を簡単かつ安価に製作することができる。
加えて、切込刃体及び掬い板体は、それぞれ個別に設置することができるので、ケーブルの種類等に応じて切込刃体及び掬い板体の設置位置や取付角度等を自在に設定あるいは変更したり、切込刃体と掬い板体とを自在に組み合わせたりすることができる。
【発明の効果】
【００１３】
本発明は、掬い部の先端が、切込刃の先端よりも回動方向の後方に位置するので、切込刃で切り込んだ後の被覆を掬い部で確実に掬い上げて導体等の心材から剥ぎ取ることができる。その結果、切り込まれた被覆の一部が掬い部の下側に潜り込んだりして切込刃及び掬い部の設置部分で詰まったり引掛かったりするのを防止することができ、円滑、確実にかつ安全に被覆付ケーブルの端部において被覆を除去して内部の心材を露出させることができる。
【００１４】
また、被覆を掬い上げる際に掬い部で被覆を切ってしまうのを防止することができるので、被覆が掬い上げ途中で切断されて掬い部の先端が被覆に食い込んだり、被覆が細切れになってしまうのを防止することができる。
【図面の簡単な説明】
【００１５】
【図１】本発明の実施形態の被覆除去工具の斜視図である。
【図２】図１の被覆除去工具を示し、(a)は平面図、(b)は正面図である。
【図３】図１の被覆除去部を示し、(a)は斜視図、(b)は平面図、(c)は左側面図、(d)は正面図である。
【図４】図１の被覆除去部を示し、(a)は図３(b)のＡ−Ａ切断線による断面図、(b)は図３(b)のＢ−Ｂ切断線による断面図である。
【図５】図１の被覆除去工具によって被覆を除去されるケーブルの斜視図である。
【図６】図１の被覆除去工具によるケーブルの被覆除去を説明する説明図であり、(a)は要部平面図、(b)は要部左側面図、(c)は(a)のＣ−Ｃ切断線による断面図である。
【図７】同じく、被覆除去工具によるケーブルの被覆除去を説明する説明図であり、(a)は要部平面図、(b)は要部左側面図、(c)は(a)のＤ−Ｄ切断線による断面図である。
【図８】同じく、被覆除去工具によるケーブルの被覆除去を説明する説明図であり、(a)は要部平面図、(b)は要部左側面図、(c)は(a)のＥ−Ｅ切断線による断面図である。
【図９】従来の被覆除去工具を示し、(a)は要部平面図、(b)は要部の説明図である。
【発明を実施するための形態】
【００１６】
以下、本発明の実施形態の被覆付ケーブルの被覆除去工具を図に基づいて説明する。
本実施形態の被覆付ケーブルの被覆除去工具は、被覆付ケーブルの端部が挿入される挿入口を有し、該挿入口から挿入された被覆付ケーブル（以下、単に「ケーブル」と称する。）に対して相対的に回動させることでその被覆を除去するものである。図１及び図２に示すように、被覆除去工具１は、中央部の把持部１０の左右両側にケーブル４０の被覆４２を切削除去する被覆除去部２０を備えている。被覆除去部２０は、更に、被覆４２に切り込む切込刃２３を備えた切込刃体２２と、切込刃２３によって切り込まれた被覆４２を掬いあげる掬い部２６と、を備えている。以下、各構成部材について詳細に説明する。なお、本実施形態ではケーブルとして電力ケーブルを例示する。
【００１７】
左右一対の被覆除去部２０，２０は、径や被覆厚等の異なる２種類のケーブル４０に対応すべく挿入口２８等の大きさは異なるが、全体的には、互いに同様の形状、形態に形成され、把持部１０の両側に左右対称に取り付けられている。各被覆除去部２０は把持部１０に対して着脱自在に組み付けられており、各種サイズのケーブル４０に対応してその被覆を除去することができる。各被覆除去部２０は、挿入口２８とは反対側端部に把持部１０側に向けて突設された図３に示す係合部２０ａを把持部１０の被係合部に係合させて組み付けることができるようになっている。
【００１８】
各被覆除去部２０は、図３及び図４に示すように、全体として略円筒状に形成されているが、一部に設置空間２１が形成されており、設置空間２１内にはビスを用いて切込刃体２２、及び掬い部２６を有する掬い板体２５が設置されている。切込刃体２２及び掬い板体２５はビスを含めて全体が設置空間２１内に収容され、被覆除去工具１を把持する際に支障とならないようになっている。被覆除去部２０の外側端部の中央にはケーブル４０が挿入される円形の挿入口２８が形成され、挿入口２８から内部には断面円形の挿通路２９が形成されている。挿通路２９は、挿入口２８の円中心から把持部１０に向かって延びる中心軸であってケーブル４０を挿入する方向の軸である挿入軸Ｏに沿って把持部１０側の端部に貫通している。本実施形態において、挿通路２９は、外径が約１３．０ｍｍ及び約１５．５ｍｍの大小２種類のケーブル４０に対応すべく、一側の被覆除去部２０については１３．０ｍｍより僅かに大きく、他側の被覆除去部２０については１５．５ｍｍより僅かに大きい内径に形成されている。なお、設置空間２１の開口部は、切削された被覆４２を取り出すための排出口３０ともなっている。被覆除去部２０は、切込刃体２２及び掬い板体２５を除いて合成樹脂材により一体に形成されている。
【００１９】
ここで、ケーブル４０は、低圧の一般電力用配線に広く使用されている架橋ポリエチレン絶縁電力ケーブルであり、図５に示すように、導体４１の周囲に架橋ポリエチレン樹脂からなる絶縁体４３が被覆され、更にその外周にビニル樹脂からなるシース４４が被覆されている。これら絶縁体４３及びシース４４によって被覆４２が形成されている。なお、外径が約１３．０ｍｍのケーブル４０の場合、導体４１の外径は７．３ｍｍ、絶縁体４３の厚さは１．２ｍｍ、シース４４の厚さは１．５ｍｍであり、外径が約１５．５ｍｍのケーブル４０の場合、導体４１の外径は９．３ｍｍ、絶縁体４３の厚さは１．５ｍｍ、シース４４の厚さは１．５ｍｍである。
【００２０】
設置空間２１の内部には、図４(b)に示すように、右上方から左下方にかけて傾斜する傾斜面を有する切込刃体固定台３１が形成されており、この切込刃体固定台３１にはビス２４を介して切込刃体２２が着脱自在に固定されている。本実施形態では、切込刃体固定台３１は、水平方向の挿入軸Ｏに対して約５０度傾斜した角度に設定されている。切込刃体２２は略四角板状に形成され、その挿入軸Ｏ側の辺の部分は切込刃２３に形成されている。切込刃体２２の裏面である切込刃体固定台３１側の面は切込刃２３の部分を含めて全体が面一に形成されており、切込刃２３の上面２３ａは、図３、図４等に示すように、下面２３ｂに対して約２５度傾斜するテーパ面に形成されている。切込刃２３の下端部２３ｃは挿通路２９の空間内に突出しており、その突出量は、ケーブル４０の被覆４２を除去する際に下端部２３ｃがケーブル４０の心材である導体４１と被覆４２との境界部分に達する寸法、すなわち、被覆４２については切り込まれるが導体４１にまでは達せずこれを傷付けない寸法に設定されている。
【００２１】
切込刃体２２より挿入方向奥側である把持部１０側には、切込刃体２２における挿入方向奥側端すなわち把持部１０側の辺である下端辺２２ａに隣接して掬い板体２５が配設され、傾斜している切込刃体２２の下端辺２２ａの部分と掬い板体２５の挿入口２８側の長辺２５ａの部分とは当接している。掬い板体２５は、図３において掬い板体固定台３２の水平面をなす上面３２ａにビス２７を介して着脱自在に固定され、一部は挿通路２９内に突出している。掬い板体２５は一定厚の細長矩形板で形成され、周囲４辺は垂直端面に形成されている。掬い部２６は、掬い板体２５の挿通路２９側の先端である短辺部分、すなわち掬い板体２５におけるケーブル４０と対向する側の先端部で形成されている。掬い部２６の先端２６ａは掬い板体２５の垂直端面で形成されており、そのため、ケーブル４０の被覆４２は切れないものとなっている。
【００２２】
ここで、掬い部２６の先端２６ａは、図３(b)、(c)に示すように、切込刃２３の刃先である先端２３ｄに対して排出口３０側に長さＬだけ離間している。別言すれば、掬い部２６の先端２６ａは、被覆除去時のケーブル４０の回動方向において切込刃２３の先端２３ｄの後方に長さＬだけ離間している。この位置関係により、ケーブル４０を挿入口２８側から見て時計方向に回動させたとき、ケーブル４０の外周面は、最初に切込刃２３の先端と当接して切り込まれた後、切られた先端は更に時計方向に長さＬだけ回動してから掬い板体２５の掬い部２６の先端２６ａに当接することになる。
【００２３】
一方、把持部１０は、図１、２に示すように、合成樹脂材で略円筒状に形成され、上面１１には軸方向に沿って長孔１２が形成され、左右両側面１３，１３及び下面１４は手で把持し易いように中央部分が内部側に凹んだ湾曲面になっている。把持部１０の内部中央には所定長さの円柱状の除去長さ設定部材１５が把持部１０の軸方向に沿って往復移動自在に配設されている。そして、除去長さ設定部材１５の上部中央にはこれの移動を操作するための摘み部１６が一体に設けられ、その上端部１６ａは長孔１２から上方に突出している。除去長さ設定部材１５、摘み部１６を上方から押し下げることにより長孔１２に沿って往復移動させることができ、押し下げを解除することにより所定位置で停止固定させることができるようになっている。除去長さ設定部材１５の軸心はケーブル４０の挿入軸Ｏと同一直線上に位置しており、除去長さ設定部材１５の左右両側の端面はケーブル４０の先端面が所定位置を超えて挿入方向奥側に移動するのを阻止するストッパ面１５ａとなっている。
【００２４】
把持部１０の上面１１の長孔１２の幅方向両外側には長孔１２の長手方向に沿って目盛１７が表示されており、この目盛１７は、ケーブル４０の導体４１の露出長さの設定値を表示している。なお、図１及び図２において、下側の目盛１７は左側の挿入口２８から挿入されるケーブル４０に対する露出長さの設定値を表示し、上側の目盛１７は右側の挿入口２８から挿入されるケーブル４０に対する露出長さの設定値を表示している。
【００２５】
次に、上記のように構成された被覆除去工具１を使用してケーブル４０の被覆４２を除去する方法を説明する。ここで、被覆４２の除去においては、ケーブル４０に対して被覆除去工具１を相対的に時計方向に回動させるが、説明の都合上、ここでは、ケーブル４０を被覆除去工具１に対して時計方向に回動させて除去する操作を説明する。勿論、ケーブル４０を把持して把持部１０を時計方向に回動させて被覆４２を除去してもよい。また、両側の被覆除去部２０はほぼ同様の形状、形態に形成されているので、ここでは、右側の被覆除去部２０で被覆を除去する場合を図６乃至図８に基づいて説明する。なお、以下の各図はケーブル４０の先端部の被覆４２の状態を示し、(a)は要部を上方から見た図、(b)は左側方から見た図、(c)は正面側から見た断面図である。
【００２６】
最初に、図６に示すように、被覆除去工具１の把持部１０を手で把持してケーブル４０の外径に対応する右側の挿入口２８からケーブル４０をその先端面が切込刃２３に当接するまで挿通路２９内に挿入する。ここで、切込刃２３はケーブル４０の挿入軸Ｏに対して傾斜して配置されている。このため、ケーブル４０の先端面が切込刃２３に当接したとき、ケーブル４０の先端面は最初に切込刃２３のうちの挿通路２９内に突出している部分における最上部２３ｅと当接することになる。
【００２７】
次に、ケーブル４０の先端面が切込刃２３と当接したら、図７に示すように、ケーブル４０を挿入口２８側から見て時計方向に回動させながら更に挿入方向奥側に向けて押し込む。すると、ケーブル４０の先端部はまず切込刃２３の挿通路２９内に突出している部分のうちの最上部２３ｅで切り込みが開始され、被覆４２の端部から最初に表面側のシース４４が切り込まれていく。切り込まれた被覆４２の先端部は、先が尖った楔状となる。そして、被覆４２はケーブル４０の回動と押し込みとが同時に行なわれるので、螺旋状に切り込まれていく。
【００２８】
続けて、更にケーブル４０を回動させつつ押し込んでいくと、切込刃２３は表面側のシース４４から内部側の絶縁体４３にまで切り込んでいき、図８に示すように、ケーブル４０の先端が切込刃２３の下端部２３ｃに達すると、切込刃２３の下端部２３ｃはケーブル４０の絶縁体４３と導体４１との境界部分に達し、それより下部には切り込まない。これにより、導体４１の外表面はほとんど傷付かない。
【００２９】
以後、被覆４２はシース４４と絶縁体４３とが一体となって螺旋状に切り込まれる。このとき、切込刃２３の上面２３ａは上方に傾斜しているので、切られた被覆４２は切込刃２３の上面２３ａで持ち上げられつつ掬い板体２５側に移動する。こうして、被覆４２の先端部は、最初に切られる部分の厚みを増しながら掬い部２６に乗り上げて掬い上げられた後、導体４１から螺旋状に剥ぎ取られていく。
【００３０】
その後、ケーブル４０の導体４１の先端面が除去長さ設定部材１５のストッパ面１５ａと当接するとそれ以上の挿入は阻止される。この状態でケーブル４０の回動のみを行なうと、ケーブル４０は挿入方向の定位置で１回転し、切り込まれた被覆４２はケーブル４０から分断される。ここで、把持部１０の摘み部１６を予め所定の目盛１７に合わせておくことにより、被覆４２を除去されたケーブル４０の端部は導体４１が所定長さだけ露出する。分断された被覆４２は被覆除去部２０の排出口３０から側方に排出される。以上により、被覆４２の除去は完了する。
【００３１】
次に、被覆除去工具１の作用を説明する。
被覆除去工具１は、掬い部２６の先端２６ａが、切込刃２３の先端２３ｄよりも回動方向の後方に位置するので、切込刃２３で被覆４２が切られた後、時間差をもって掬い部２６による、切り込まれた被覆４２の掬い上げが開始される。これにより、切込刃２３が被覆４２における導体４１に近接した深部にまで入いり込み、切られた被覆４２が十分に掬い上げ可能な厚肉の状態になってから掬い部２６による掬い上げが開始されるから、被覆４２を掬い部２６で下方から支持しつつ確実にめくり上げて掬い上げることができる。
【００３２】
すなわち、仮に、掬い部２６の先端２６ａと切込刃２３の先端２３ｄとが回動方向においてほぼ同一位置にあって、切り込みと掬い上げとがほぼ同時に行なわれると、切込刃２３の先端２３ｄで切り込まれた直後の被覆４２がまだ薄くてひらひらした状態にあるので、掬い部２６に当接しても掬い上げは困難であり、切り込まれた被覆４２の先端部は掬い部２６の下側に潜り込んだりして切込刃２３及び掬い部２６の設置部分で詰まったり引掛かったりして被覆４２の除去は困難である。しかし、本実施形態の被覆除去工具１によれば、上述のように、掬い部２６の先端は、切込刃２３の先端よりも回動方向の後方に位置するので、そのような不具合を生じない。その結果、切込刃２３で切り込んだ後の被覆４２を掬い部２６で円滑かつ確実に掬い上げて導体４１から剥ぎ取り、内部の導体４１を露出させることができる。
【００３３】
また、掬い部２６は、板状に形成された掬い板体２５におけるケーブル４０側の先端部によって形成され、掬い板体２５は、切込刃体２２におけるケーブル４０の挿入方向奥側端に隣接して設けられているので、切り込まれた被覆４２の端部を確実に掬い上げて剥ぎ取ることができる。すなわち、仮に、掬い板体２５が切込刃体２２における挿入方向奥側端から奥側に離間して設けられていると、切込刃２３により切り込まれた後に一旦斜め上方に持ち上がった被覆４２の端部が掬い板体２５に到達する前に掬い板体２５の下方に垂れ下がってしまい、掬い部２６による掬い上げのタイミングが遅くなって掬い上げることができなくなり、詰まりや引掛かりの原因ともなる。しかし、本実施形態の被覆除去工具１によれば、上述のように、掬い板体２５は、切込刃体２２に隣接して設けられているので、そのような不具合を生じない。
【００３４】
更に、掬い部２６の先端２６ａは、ケーブル４０の被覆４２を切らない端面に形成されているので、被覆４２を掬い上げる際に掬い部２６で被覆４２を切ってしまうのを防止することができる。その結果、被覆４２が途中で切断されて、掬い上げ途中で掬い部２６の先端２６ａが被覆４２に食い込んだり、被覆４２が細切れになってしまうのが防止される。
【００３５】
そして、掬い板体２５は、切込刃体２２とは別体に形成されているので、切込刃体２２のみについて個別に刃先を研ぐ刃付けや焼き付けなどの処理を行なうことができる。このため、切込刃体２２と掬い板体２５とが一体物で形成された場合と比較して、切込刃体２２及び掬い板体２５を簡単かつ安価に製作することができる。
また、切込刃体２２及び掬い板体２５は、それぞれ個別に設置することができるので、ケーブル４０の種類等に応じて切込刃体２２及び掬い板体２５の設置位置や取付角度等を自在に設定あるいは変更したり、切込刃体２２と掬い板体２５とを自在に組み合わせたりすることができる。
【００３６】
ところで、上記実施形態の掬い板体２５は、切込刃体２２における挿入方向奥側端に隣接して設けられているが、これに限られるものではなく、掬い部２６による掬い上げに支障をきたさない範囲で切込刃体２２から僅かに離間していてもよい。
また、掬い板体２５は、一定厚の細長矩形板で形成されているが、この形状、形態に限られるものではない。
【００３７】
更に、掬い部２６は、板状に形成された掬い板体２５のケーブル４０側の先端部で形成されているが、この先端部に加え、掬い板体２５において切込刃体２２と隣接する辺である側端部にも形成してもよい。また、掬い部２６の先端２６ａは、垂直端面に形成されているが、ケーブル４０の被覆４２を切らない形状であればこれに限られるものではなく、湾曲する端面等で形成してもよい。
【００３８】
そして、上記実施形態の切込刃体２２は、略四角板状に形成されているが、この形状に限られるものでもない。
また、切込刃体２２は、ケーブル４０の挿入軸Ｏに対して傾斜した切込刃体固定台３１に固定され、切込刃２３は、挿入軸Ｏに対して傾斜して配置されているが、これに限定されるものではなく、切込刃体２２及び切込刃２３は、挿入軸Ｏに直交する垂直状態に設置してもよい。
【００３９】
加えて、上記実施形態の掬い板体２５は、切込刃体２２とは別体に形成されているが、一体に形成してもよい。
【００４０】
また、切込刃２３の傾斜角度や、掬い部２６の先端２６ａと切込刃２３の先端２３ｄとが離間する長さＬなど、各部位における角度、寸法は、上記実施形態の設定値に限定されるものではなく、ケーブル４０の外径、被覆４２の厚さ、材質等に応じて適宜最適値に設定すればよい。
【００４１】
更に、切込刃体２２及び掬い板体２５を固定するビスは、各図に示すように、ナベ小ネジを用いているが、皿小ネジなどを用いてもよい。ビス２７として皿小ネジで掬い板体２５を固定した場合は、頭部が掬い板体２５から飛び出さないので、切られた被覆４２が切込刃体２２とビス２７の頭部との間に嵌り込んで詰まったりするのを避けることができる。
また、上記実施形態において、切込刃体２２及び掬い板体２５はビスを用いて設置されているが、他の手段によって設置してもよい。
【００４２】
なお、被覆除去部２０の把持部１０への組み付けは、係合により行なっているが、他の手段で組み付けてもよい。また、被覆除去部２０は把持部１０の両側に組み付けられているが、把持部１０の片側のみに組み付けるものとしてもよい。
【００４３】
また、上記実施形態では、ケーブル４０として電力ケーブルを例示しているが、本発明を実施する場合には、光ケーブルなど他のケーブルの被覆の端部を除去する場合にも同様に適用することができる。
【符号の説明】
【００４４】
１  被覆除去工具                    ２６ａ  先端
２２  切込刃体                        ２８  挿入口
２３  切込刃                          ４０  ケーブル
２３ｄ  先端                          ４２  被覆
２５  掬い板体                        Ｏ  挿入軸
２６  掬い部
【図１】
2018196254.tif 000003
【図２】
2018196254.tif 000004
【図３】
2018196254.tif 000005
【図４】
2018196254.tif 000006
【図５】
2018196254.tif 000007
【図６】
2018196254.tif 000008
【図７】
2018196254.tif 000009
【図８】
2018196254.tif 000010
【図９】
2018196254.tif 000011